(57)【要約】      （修正有）【課題】故障が発生し難く、製造コストの低い穂先ライトを得る。【解決手段】穂先ライト１を、発光ダイオード２が内部に装着される透明樹脂製のライト収容部４ａとこのライト収容部４ａの下縁から下方に連設された筒状の電池収容部４ｂと電池３を装着するために電池収容部４ｂの筒壁に形成された開口６ａとを有する本体ケース４と、ケースカバー５とを備え、本体ケース４と上記ケースカバー５はそれぞれの筒壁において軸方向に水密に螺合され、上記発光ダイオード２の両極リード線２ａ、２ｂは互いに間隔を空けてそれぞれ本体ケース４から軸方向に突出するように設けられ、上記電池３は、ボタン形またはコイン形の電池であり、上記両極のリード線２ａ、２ｂ間に挟まれるように装着され、上記本体ケース４に上記ケースカバー５を螺合すると、上記テーパ部５ａは上記リード線２ａ、２ｂの突出部分を上記電池３に押しつけ、上記発光ダイオード２が導通する構成とした。【選択図】図１
0003100739.tif 000002
【実用新案登録請求の範囲】
【請求項１】
発光ダイオードが内部に装着される透明樹脂製のライト収容部とこのライト収容部の下縁から下方に連設された筒状の電池収容部と電池を装着するために上記電池収容部の筒壁に形成された開口とを有する本体ケースと、有底筒状でその内周面に軸方向に設けられたテーパ部を有するケースカバーとを備え、上記本体ケースと上記ケースカバーはそれぞれの筒壁において軸方向に水密に螺合され、上記発光ダイオードの両極リード線は互いに間隔を空けてそれぞれ本体ケースから軸方向に突出するように設けられ、上記電池は、ボタン形またはコイン形の電池であり、上記両極のリード線間に挟まれるように装着され、上記本体ケースに上記ケースカバーを螺合すると、上記テーパ部は上記リード線の突出部分を上記電池に押しつけ、上記発光ダイオードが導通する穂先ライト。
【請求項２】
上記本体ケース内に、上記リード線のずれ止部が形成されたことを特徴とする請求項１に記載の穂先ライト。
【請求項３】
上記穂先ライトを出し入れ自在に収容でき、上記発光ダイオードの点灯光を視認できると共に、仕掛けに取付けるための結び孔を有する水密保護ケース入りの請求項１または２に記載の穂先ライト。
【考案の詳細な説明】
【技術分野】
【０００１】
この考案は、夜釣りの際に魚信を容易に把握できるようにするため、ウキや釣竿等に取付けられる穂先ライトに関する。
【背景技術】
【０００２】
従来から、夜釣りにおいて、魚が仕掛けに掛かったときに生じるウキ等の揺れ（魚信）を光源の移動で把握できるようにするため、発光ダイオードを用いた穂先ライトが種々存在する。これらの穂先ライトは、発光ダイオードの点灯用電源にピン形リチウム電池や単４乾電池を使用するため、本体内に電池ソケットを設け、はんだ付け等によって発光ダイオードのリード線を電池ソケットに接続した点灯回路を構築する必要があった。
【考案の開示】
【考案が解決しようとする課題】
【０００３】
ところが、投げ釣りを行なう場合、穂先ライトは、仕掛けと共に投げられるので、着水による衝撃を繰り返し受けてしまう。また、仕掛けを巻き上げる際に、穂先ライトが岸壁等に衝突することも頻繁に発生する。このため、従来の穂先ライトは、上記はんだ付け部の亀裂や剥離を生じ易く、故障が発生し易いものであった。
【０００４】
そこで、この考案の課題は、故障が発生し難く、製造コストの低い穂先ライトを得ることにある。
【課題を解決するための手段】
【０００５】
上記の課題を解決するため、この考案は、発光ダイオードが内部に装着される透明樹脂製のライト収容部とこのライト収容部の下縁から下方に連設された筒状の電池収容部と電池を装着するために上記電池収容部の筒壁に形成された開口とを有する本体ケースと、有底筒状でその内周面に軸方向に設けられたテーパ部を有するケースカバーとを備え、上記本体ケースと上記ケースカバーはそれぞれの筒壁において軸方向に水密に螺合され、上記発光ダイオードの両極リード線は互いに間隔を空けてそれぞれ本体ケースから軸方向に突出するように設けられ、上記電池は、ボタン形またはコイン形の電池であり、上記両極のリード線間に挟まれるように装着され、上記本体ケースに上記ケースカバーを螺合すると、上記テーパ部は上記リード線の突出部分を上記電池に押しつけ、上記発光ダイオードが導通する構成としたのである。
【０００６】
上記の構成によれば、上記発光ダイオードの両極リード線は互いに間隔を空けてそれぞれ本体ケースから軸方向に突出するように設けられ、上記電池は、ボタン形またはコイン形の電池であり、上記両極のリード線間に挟まれるように装着され、上記本体ケースに上記ケースカバーを螺合すると、上記テーパ部は上記リード線の突出部分を上記電池に押しつけ、上記発光ダイオードが導通するようにしたので、はんだ付け等によって点灯回路を構築する必要がなくなる。
【考案の効果】
【０００７】
このため、この考案の穂先ライトは、故障が非常に起き難く、製造コストの低いものとなる。
【考案を実施するための最良の形態】
【０００８】
この考案の最良の実施形態を図面に基き説明する。図１に示すように、穂先ライト１は、発光ダイオード２と、この発光ダイオード２を点灯させる電池３と、発光ダイオード２と電池３を収容する本体ケース４と、本体ケース４に水密に螺合されるケースカバー５とを備える。
【０００９】
図２から図４に示すように、本体ケース４は、発光ダイオード２が内部に設置されるドーム型のライト収容部４ａと、ライト収容部４ａの下縁から下方に連設された円筒状の電池収容部４ｂと、電池収容部４ｂの筒壁に電池３を装着するための開口６ａと、開口６ａと対向する筒壁に円孔６ｂとが形成されている。
【００１０】
電池３には、ボタン形電池を用いているが、コイン形の電池を用いることもできる。これらの電池を用いると、電池極の面積が広いため、電池収容部４ｂには、電池３の上下方向移動を規制する凸部７が、開口６ａの上下両縁の中央部に形成されている。電池収容部４ｂは、２つの電池３を直列に装着した状態で電池３の外周が筒壁と当接するように形成されている。電池収容部４ｂを上記のように形成することにより、電池３を開口６ａからスムーズに装着できると共に、電池３は電池収容部４ｂ内で安定させることができる。
【００１１】
また、本体ケース４は、全体が透明樹脂製であり、発光ダイオード２の点灯光を視認できるようになっている。点灯光の視認性を向上するため、集光レンズＬがライト収容部４ａの頂部に形成されている。
【００１２】
発光ダイオード２は、発光部が集光レンズＬの直下に位置し、電池３を正極リード線２ａと負極リード線２ｂの間に挟むように装着される。正極リード線２ａと負極リード線２ｂのそれぞれは、本体ケース４から軸方向に突出するように設けられており、本体ケース４の内壁に軸方向に設けられた溝８に嵌め込まれている。溝８は、リード線２ａ，２ｂのずれ止部として作用し、電池３とリード線２ａ，２ｂとの接触を安定させる。
【００１３】
電池収容部４ｂの筒壁外周面には、軸方向にネジ部が形成されており、このネジ部にケースカバー５が螺合される。Ｏリング９が螺合部に設けられており、本体ケース４は水密シール構造である。
【００１４】
ケースカバー５は、有底筒状であり、その筒壁に本体ケース４のネジ部に螺合されるネジ部が形成されており、また、筒壁内周面に軸方向に設けられたテーパ部５ａを有する。本体ケース４にケースカバー５を螺合すると、テーパ部５ａがリード線２ａ、２ｂの突出部分を電池３の電池極に押しつける。この際、ボタン形電池或いはコイン形の電池は電池極の面積が広いため、リード線２ａ、２ｂと電池３との接触を安定させることができる。
【００１５】
また、ケースカバー５の底部には、絞り部５ｂが設けられており、図５に示すように、穂先ライト１は、ウキ等Ｆに備えられたスリーブＳに挿し込めるようになっている。
【００１６】
上記の構成により、ケースカバー５は本体ケース４に、発光ダイオード２はライト収容部４ａに、電池３は電池収容部４ｂに着脱自在となり、穂先ライト１は、組立式構造となる。これにより、穂先ライト１は、発光ダイオード２を本体ケース４に装着し、電池３を開口６ａより電池収容部４ｂに装着し、本体ケース４にケースカバー５を螺合すると、発光ダイオード２が導通し、使用状態となる。穂先ライト１の使用を中止する場合、ケースカバー５を外し、円孔６ｂに爪楊枝などを挿し入れて電池３を突き出すとよい。
【００１７】
また、岸壁に多くの釣り人が居並んだ状態では、多くの電気ウキ或いは穂先ライトが水面で点灯し、自分の穂先ライト１と他人の穂先ライト等との見分けがつき難い場合がある。このような場合でも、穂先ライト１は発光ダイオード２が着脱自在に構成されているので、使用者は、発光ダイオード２を交換し、その発色を変更することにより、自分の穂先ライト１を直に把握できる。
【００１８】
さらに、穂先ライト１は、穂先ライト１に浮力を持たせ、仕掛けに取付けるための結び孔５ｃを形成しているので、そのまま電気ウキとして使用できる。
【００１９】
また、穂先ライト１を電気ウキとして使用する場合、図６に示すように、穂先ライト１を保護ケース１０入りの穂先ライトとすることもできる。
【００２０】
保護ケース１０は、例えば、穂先ライト１の本体ケース４部分を収容する透明樹脂製のライトケース１１と、穂先ライト１のケースカバー５を収容するボディケース１２とから構成することができる。ボディケース１２は、ライトケース１１に螺合されるようになっている。Ｏリング１３が螺合部に設けられており、保護ケース１０は水密ケースとなっている。また、保護ケース１０入りの穂先ライト１を仕掛けに取付けるための結び孔１４が、ライトケース１１の上端とボディケース１２の下端に形成されている。
【００２１】
このように、穂先ライト１を保護ケース１０入りとすると、穂先ライト１は、岸壁等の衝突から保護されるので、より故障し難くなると共に、魚が仕掛けに掛かった際に水中深くに引きずり込まれても、穂先ライト１内への浸水を防止できる。
【図面の簡単な説明】
【００２２】
【図１】この考案の最良の実施形態の穂先ライトを示した分解図。
【図２】図１の穂先ライトの縦断面図。
【図３】図２と直交する切断面を示した縦断面図。
【図４】図１の横断面図。
【図５】図１の穂先ライトの使用状態図。
【図６】保護ケース入りの図１の穂先ライトを一部破断表示で示した全体図。
【符号の説明】
【００２３】
１  穂先ライト
２  発光ダイオード
３  電池
４  本体ケース
４ａ  ライト収容部
４ｂ  電池収容部
５  ケースカバー
５ａ  テーパ部
６ａ  開口
８  溝
１０  保護ケース
１４  結び孔
【図１】
0003100739.tif 000003
【図２】
0003100739.tif 000004
【図３】
0003100739.tif 000005
【図４】
0003100739.tif 000006
【図５】
0003100739.tif 000007
【図６】
0003100739.tif 000008